(57)【要約】【課題】イレーズパワー値とε値に基づいてピークパワー値が設定される場合、イレーズパワー値を測定する必要があるが、記録ストラテジに対応するパルス波形の影響を受け、イレーズパワー値を正確に測定することが困難であった。【解決手段】ディスクに記録される記録マークの記録品位を確保するべくピークパワー値に対するイレーズパワー値の比率であるε値を設定する際に、レーザードライバ２にピークパワー制御信号を供給しないでイレーズパワー制御信号及びボトムパワー制御信号を供給する状態にして光学ヘッドのレーザー光源１から出射されるレーザービームをモニタしたモニタ出力の振幅を測定し、この振幅の測定によりイレーズパワー値を検出し、このイレーズパワー値と決定されたε値からピークパワー値を算出し、このピークパワー値に対応してピークパワー信号発生回路１０から発生されるピークパワー制御信号を設定する。【選択図】  図１
2004326841.tif 000002
【特許請求の範囲】
【請求項１】
光学ヘッドのレーザー光源をピークパワー値及びボトムパワー値間で振幅させたパルス状信号とイレーズパワー値とのマルチパルス波形のレーザー駆動信号により駆動し、この駆動に応じて光学ヘッドから出射されるレーザービームを用いてディスクに信号記録を行う光ディスク記録装置であって、前記レーザー駆動信号のマルチパルス波形におけるイレーズパワー値、ピークパワー値、及びボトムパワー値にそれぞれ対応してレーザードライバを制御するイレーズパワー制御信号、ピークパワー制御信号、及びボトムパワー制御信号をそれぞれ発生するイレーズパワー信号発生回路、ピークパワー信号発生回路、及びボトムパワー信号発生回路を設け、前記イレーズパワー信号発生回路から発生されるイレーズパワー制御信号は光学ヘッドから出射されるレーザービームをモニタしたモニタ出力を一定に保持するべく制御するＡＰＣ回路により設定され、ディスクに記録される記録マークの記録品位を確保するべくピークパワー値に対するイレーズパワー値の比率であるε値を設定する際に、レーザードライバにピークパワー制御信号を供給しないでイレーズパワー制御信号及びボトムパワー制御信号を供給する状態にして光学ヘッドのレーザー光源から出射されるレーザービームをモニタしたモニタ出力の振幅を測定し、この振幅の測定によりイレーズパワー値を検出し、このイレーズパワー値と決定されたε値からピークパワー値を算出し、このピークパワー値に対応して前記ピークパワー信号発生回路から発生されるピークパワー制御信号を設定することを特徴とする光ディスク記録装置。
【請求項２】
前記ピークパワー信号発生回路はイレーズパワー信号発生回路から発生されるイレーズパワー制御信号を基にしてピークパワー制御信号を生成し、イレーズパワー値と決定されたε値から算出されるピークパワー値に基づいて前記ピークパワー信号発生回路から発生されるピークパワー制御信号をレベル調整するようにしたことを特徴とする請求項１記載の光ディスク記録装置。
【発明の詳細な説明】
【０００１】
【発明の属する技術分野】
本発明は、光学ヘッドからレーザービームを出射してディスクに信号記録を行う光ディスク記録装置に関し、特に、オーバーライト方式の光ディスク記録装置に関する。
【０００２】
【従来の技術】
光ディスク記録装置としては、ディスクへの上書きによる書き換えが可能なオーバーライト方式が存在し、ＣＤ（Ｃｏｍｐａｃｔ  Ｄｉｓｃ）方式のＣＤ−ＲＷ（ＲｅＷｒｉｔａｂｌｅ）ドライブが広く普及している。このようなオーバーライト方式の光ディスク記録装置は、光学ヘッドのレーザー光源をイレーズパワー値のイレーズパワー制御信号とピークパワー値及びボトムパワー値間で振幅させたパルス状信号とを合成した図２に示す如きマルチパルス波形のレーザー駆動信号で駆動し、この駆動に応じてレーザー光源からレーザービームを出射させてディスクに信号記録を行うようにしている。
【０００３】
このようなマルチパルス波形のレーザー駆動信号によりディスクに記録を行う光ディスク装置においては、イレーズパワー値、ピークパワー値及びボトムパワー値を正確に制御してディスクに高品質な記録マークを記録することが提案されている（例えば、特許文献１参照）。
【０００４】
【特許文献１】
特開２００１−３４９８７号公報
【０００５】
【発明が解決しようとする課題】
ところで、マルチパルス波形のレーザー駆動信号によりディスク記録を行う光ディスク装置においては、ピークパワー値Ｐｐに対するイレーズパワー値Ｐｅの比率（Ｐｅ／Ｐｐ）であるε値の調整が必要である。このε値はディスクに固有であると共に、記録速度によって決定される。
【０００６】
ＣＤ−ＲＷの場合、ε値は通常、ディスクの記録パワー調整領域（ＰＣＡ）に段階的に変化する複数のレーザー出力により試し書きする前に決定され、ディスクごとにウォブル（ｗｏｂｂｌｅ）のＡＴＩＰ（Ａｂｓｏｌｕｔｅ  Ｔｉｍｅ  Ｉｎ  Ｐｒｅ−ｇｒｏｏｖｅ）特別情報として記録されているので、この特別情報から推奨の値が抽出され、記録速度の兼ね合いで、ディスク記録に最適と思われる適切な値に設定される。
【０００７】
ところで、ＣＤ−ＲＷの如くオーバーライト方式の光ディスク記録装置は、ディスク記録を行うマルチパルス波形のレーザー駆動信号を形成するのに、マルチパルス波形におけるイレーズパワー値、ピークパワー値、及びボトムパワー値にそれぞれ対応するイレーズパワー制御信号、ピークパワー制御信号、及びボトムパワー制御信号をそれぞれ発生するイレーズパワー信号発生回路、ピークパワー信号発生回路、及びボトムパワー信号発生回路を設け、イレーズパワー制御信号、ピークパワー制御信号、及びボトムパワー制御信号によりレーザードライバを制御するように構成されている。
【０００８】
そして、このような光ディスク記録装置としては、イレーズパワー制御信号を基にしてε値を考慮してピークパワー値を算出しこのピークパワー値に対応するピークパワー制御信号を生成するべくピークパワー信号発生回路が構成されることが多い。
【０００９】
このようにピークパワー信号発生回路が構成される場合、イレーズパワー制御信号によりレーザードライバを制御した際に光学ヘッドから出射されるレーザービームを光学ヘッドに備えるモニタダイオードによりモニタすることによりイレーズパワー値を測定し、この測定されたイレーズパワー値と決定されたε値から算出されるピークパワー値に基づいてピークパワー信号発生回路から発生されるピークパワー制御信号のレベル調整を行い、ピークパワー信号発生回路からε値に対応したピークパワー制御信号が発生されるようになっている。
【００１０】
因みに、ＣＤ−ＲＷの場合、イレーズパワー値は４ｍＷ〜１０ｍＷと範囲を有している。その為、同一のε値に対してイレーズパワー値が変化された場合、この変化に伴ってピークパワー値を変化させる必要があり、ピークパワー値のレベル調整を行う必要がある。
【００１１】
イレーズパワー値を測定する方法としては、記録が行なわれないようにフォーカスを外した状態で記録ストラテジに対応してレーザードライバにより光学ヘッドを駆動し、この際にモニタダイオードによりモニタされるモニタ出力をローパスフィルタにより積分した積分出力に基づいてε値に対応したピークパワー制御信号が発生されるようにピークパワー信号発生回路に供給するイレーズパワー制御信号のレベル調整を行うようにしたものがある。
【００１２】
しかしながら、このようにモニタ出力のローパスフィルタ後の積分出力を用いる方法であると、モニタ出力をローパスフィルタにより平滑しているものの記録ストラテジに対応するパルス波形の影響を受け、イレーズパワー値を正確に測定することが困難であった。
【００１３】
【課題を解決するための手段】
本発明に係る光ディスク記録装置は、レーザー駆動信号のマルチパルス波形におけるイレーズパワー値、ピークパワー値、及びボトムパワー値にそれぞれ対応してレーザードライバを制御するイレーズパワー制御信号、ピークパワー制御信号、及びボトムパワー制御信号をそれぞれ発生するイレーズパワー信号発生回路、ピークパワー信号発生回路、及びボトムパワー信号発生回路を設け、前記イレーズパワー信号発生回路から発生されるイレーズパワー制御信号をＡＰＣ回路により設定するようにし、ディスクに記録される記録マークの記録品位を確保するべくピークパワー値に対するイレーズパワー値の比率であるε値を設定する際に、レーザードライバにピークパワー制御信号を供給しないでイレーズパワー制御信号及びボトムパワー制御信号を供給する状態にして光学ヘッドのレーザー光源から出射されるレーザービームをモニタしたモニタ出力の振幅を測定し、この振幅の測定によりイレーズパワー値を検出し、このイレーズパワー値と決定されたε値からピークパワー値を算出し、このピークパワー値に対応して前記ピークパワー信号発生回路から発生されるピークパワー制御信号を設定する。
【００１４】
【実施例】
図１は本発明に係る光ディスク記録装置の一実施例を示す回路ブロック図である。
【００１５】
光学ヘッドの光源となるレーザーダイオード１はレーザードライバ２により駆動され、ディスク（図示せず）に対して記録及び再生を行うためのレーザービームを出射する。
【００１６】
光学ヘッドにはレーザーダイオード１から出射されてディスクに導かれる光路途中で分離されるレーザービームを受光するフロントモニタダイオード３が備えられており、このフロントモニタダイオード３は受光されるレーザービームの光量に応じて受光電流が流れ、この受光電流に応じたモニタ出力を発生する。
【００１７】
レーザードライバ２には、エンコーダ／デコーダ４の動作に関連付けられたタイミングで切り換えられるスイッチ回路５，６，７により選択される信号が供給され、ディスク再生時においてリード／ボトムパワー信号発生回路８から発生されるリードパワー制御信号が供給され、ライトワンスディスクの記録時においてリード／ボトムパワー信号発生回路８から発生されるリードパワー制御信号と、ライト／イレーズパワー信号発生回路９から発生されるライトパワー制御信号とにより生成されるパルス波形信号が供給され、オーバーライトディスクの記録時においてリード／ボトムパワー信号発生回路８から発生されるボトムパワー制御信号と、ライト／イレーズパワー信号発生回路９から発生されるイレーズパワー制御信号と、増幅器１０により得られるピークパワー制御信号とが合成されて生成されるマルチパルス波形信号が供給される。
【００１８】
リード／ボトムパワー信号発生回路８には、ＡＰＣ（Ａｕｔｏｍａｔｉｃ  Ｐｏｗｅｒ  Ｃｏｎｔｒｏｌ）回路１１からのＡＰＣ出力が入力される。このＡＰＣ回路１１には、フロントモニタダイオード３に受光されるレーザービームの光量に応じたモニタ出力をサンプル・ホールド回路（Ｓ／Ｈ回路）１２によりエンコーダ／デコーダ４による処理動作に関連付けられた適切なタイミングでサンプル・ホールドしたＳ／Ｈ電圧と、ＣＰＵ１３に記録条件、再生条件に対応してあらかじめ取得されて記憶されたデータをデジタル・アナログ変換回路（Ｄ／Ａ回路）１４によりデジタル・アナログ変換した基準電圧とが印加され、ＡＰＣ回路１１は基準電圧に対する前記Ｓ／Ｈ電圧の差分電圧に対応してＡＰＣ出力を補正する。
【００１９】
その為，リード／ボトムパワー信号発生回路８は、前記ＡＰＣ回路１１からのＡＰＣ出力によりフロントモニタダイオード３からのモニタ出力をリードパワー値、あるいはボトムパワー値に対応する一定に制御するべくレーザードライバ２を制御する制御信号を発生する。
【００２０】
ディスク再生時において、ＣＰＵ１３からＤ／Ａ回路１４に供給されるデータはレーザーダイオード１の駆動がディスク種別や記録速度等の再生条件に適切なレーザー出力となるように設定されている。その為、リード／ボトムパワー信号発生回路８は再生条件に適合するディスク再生に適切な一定レベルにレーザーダイオード１からのレーザー出力を制御するべくレーザードライバ２を制御するリードパワー制御信号を発生する。
【００２１】
一方、ディスク記録時において、ＣＰＵ１３からＤ／Ａ回路１４に供給されるデータはレーザーダイオード１の駆動がライトワンス及びオーバーライトの記録方式を含めたディスク種別や記録速度等の記録条件に適合したリードパワー値、あるいはボトムパワー値に適切なレーザー出力となるように設定されている。その為、リード／ボトムパワー信号発生回路８は記録条件に適合するディスク記録に適切なリードパワー値、あるいはボトムパワー値の一定レベルにレーザーダイオード１からのレーザー出力を制御するべくレーザードライバ２を制御するリードパワー制御信号、あるいはボトムパワー制御信号を発生する。尚、ボトムパワー制御信号はアースレベルに設定されることが多い。
【００２２】
ライト／イレーズパワー信号発生回路９にはスイッチ回路１５の切り換えによりＡＰＣ回路１６からのＡＰＣ出力とＡＣＣ（Ａｕｔｏｍａｔｉｃ  Ｃｕｒｒｅｎｔ  Ｃｏｎｔｒｏｌ）回路１７からのＡＣＣ出力とのいずれかが選択的に入力される。
【００２３】
ＡＰＣ回路１６には、フロントモニタダイオード３に受光されるレーザービームの光量に応じたモニタ出力をサンプル・ホールド回路（Ｓ／Ｈ回路）１８によりライトパワー制御信号、あるいはイレーズパワー制御信号が発生されるタイミングでサンプル・ホールドしたＳ／Ｈ電圧と、ＣＰＵ１３に記録条件に対応してあらかじめ取得されて記憶されたデータをデジタル・アナログ変換回路（Ｄ／Ａ回路）１９によりデジタル・アナログ変換した基準電圧とが印加され、ＡＰＣ回路１６は、基準電圧に対する前記Ｓ／Ｈ電圧の差分電圧に対応してＡＰＣ出力を補正する。
【００２４】
その為，スイッチ回路１５の切り換えによりＡＰＣ回路１６からのＡＰＣ出力が選択された際には、ライト／イレーズパワー信号発生回路９は前記ＡＰＣ回路１６からのＡＰＣ出力によりフロントモニタダイオード３からのモニタ出力をライトパワー値、あるいはイレーズパワー値に対応する一定に制御するべくレーザードライバ２を制御するライトパワー制御信号、あるいはイレーズパワー制御信号を発生する。この場合、ライト／イレーズパワー信号発生回路９は記録条件に適合するディスク記録に適切なライトパワー値、あるいはイレーズパワー値の一定レベルにレーザーダイオード１からのレーザー出力を制御するべくレーザードライバ２を制御するライトパワー制御信号、あるいはイレーズパワー制御信号を発生する。
【００２５】
一方、ＡＣＣ回路１７にはＣＰＵ１３に記憶されるデータをデジタル・アナログ変換回路（Ｄ／Ａ回路）２０によりデジタル・アナログ変換して発生されるＡＣＣ電圧が印加され、ＡＣＣ回路１７はこのＡＣＣ電圧を基に電流一定のＡＣＣ信号を発生する。
【００２６】
その為，スイッチ回路１５の切り換えによりＡＣＣ回路１７からのＡＣＣ出力が選択された際には、ライト／イレーズパワー信号発生回路９は前記ＡＣＣ回路１７からのＡＣＣ出力によりライトパワー値、あるいはイレーズパワー値に対応してレーザードライバ２を制御するライトパワー制御信号、あるいはイレーズパワー制御信号を発生する。この場合、ライト／イレーズパワー信号発生回路９は記録条件に適合するディスク記録に適切なライトパワー値、あるいはイレーズパワー値にレーザーダイオード１からのレーザー出力を制御するべくレーザードライバ２を制御するライトパワー制御信号、あるいはイレーズパワー制御信号を発生する。
【００２７】
切換制御回路２１はエンコーダ／デコーダ４の動作に基づいてスイッチ回路１５の切り換えを制御し、これによりスイッチ回路１５はディスク記録時の記録直前までＡＣＣ回路１７からのＡＣＣ出力が選択され、記録開始と同時にＡＰＣ回路１６からのＡＰＣ出力が選択されるようになっている。
【００２８】
増幅器１０はＣＰＵ１３によって減衰率が設定されるアッテネータ２２により増幅率が設定され、オーバーライト方式のディスク記録が行なわれる場合にライト／イレーズ信号発生回路９から発生されるイレーズ制御信号を基にしてピークパワー制御信号を生成する。
【００２９】
アッテネータ２２に設定される減衰率は、図２（ロ）を参照すると、ディスク記録に適合するピークパワー値Ｐｐに対するイレーズパワー値Ｐｅの比率Ｐｅ／Ｐｐであるε値の決定に基づいてＣＰＵ１３から出力される減衰率設定データに対応して設定され、増幅器１０から出力されるピークパワー制御信号は決定されたε値に対応したピークパワー値となるようになっている。
【００３０】
ところで、フロントモニタダイオード３からのモニタ出力は増幅器２３により増幅された後、ピークホールド回路２４によりピーク電圧がホールドされて抽出され、また、ボトムホールド回路２５によりボトム電圧がホールドされて抽出される。このピーク電圧及びボトム電圧はＣＰＵ１３による測定機能により測定される。
【００３１】
図１のように構成される光ディスク装置において、ディスク再生時にレーザードライバ２にはリード／ボトムパワー信号発生回路８から発生されるリードパワー制御信号が供給され、エンコーダ／デコーダ４によりディスク再生されるべくデコードされたデータに対応してスイッチ回路５が閉じられ、スイッチ回路６，７が開放されるべく切り換えられると共に、リード／ボトムパワー信号発生回路８から発生されるリードパワー制御信号が再生条件に適合するべくＤ／Ａ回路１４にデータが供給される。
【００３２】
ライトワンス方式のディスク記録時において、レーザードライバ２には図３に示すようなパルス波形信号が供給され、レーザードライバ２から発生されるパルス波形のレーザー駆動信号は、マーク記録を行うライト信号の期間Ｗとスペース記録を行うリードパワー制御信号の期間Ｒとにより構成され、リードパワー制御信号及びライトパワー制御信号をそれぞれ選択的に供給させるスイッチ回路５及び６は、スペース及びマークを記録する期間に応じたパルス波形となるようにエンコーダ／デコーダ４によりディスク記録されるべくエンコードされたデータに対応して切り換えられる。この場合、スイッチ回路７が開放されたままとなり、増幅器１０から発生されるピークパワー制御信号は用いられない。
【００３３】
また、オーバーライト方式のディスク記録時において、レーザードライバ２には図２（ロ）に示すようなマルチパルス波形信号が供給され、レーザードライバ２から発生されるマルチパルス波形のレーザー駆動信号は、スペース記録を行うイレーズパワー制御信号の期間Ｅとピークパワー制御信号及びボトムパワー制御信号間で振幅されてマーク記録を行うパルス波形信号の期間Ｐとにより構成され、イレーズパワー制御信号、ピークパワー制御信号及びボトムパワー制御信号をそれぞれ選択的に供給させるスイッチ回路５，６，７は、スペース及びマークを記録する期間に応じたマルチパルス波形となるようにエンコーダ／デコーダ４によりディスク記録されるべくエンコードされたデータに対応して切り換えられる。
【００３４】
尚、エンコーダ／デコーダ４には記録時にパソコンやデジタルソース機器等の上位機器から送信されるメインデータが入力される。
【００３５】
次に、本発明の特徴となる、オーバーライト方式によるディスク記録を行う場合におけるピークパワー値のレベル調整方法を図３に示すフローチャートを用いて説明する。
【００３６】
ディスクが装着され、ディスク記録を行わせる操作が行なわれると、ＣＤ−ＲＷディスクの場合、ＡＴＩＰ特別情報と設定された記録速度からこのディスク記録に適切な固有のε値が決定される。
【００３７】
ε値が決定されると、このε値に対応する標準の減衰率をアッテネータ２２に与える減衰率データ（ＡＴＴ）がＣＰＵ１３から発生される。
【００３８】
また、記録速度に基づく標準のイレーズパワー値に対応するイレーズパワー制御信号をライト／イレーズパワー信号発生回路９から発生させるべくＡＰＣ回路１６を設定するイレーズパワー設定データがＣＰＵ１３からＤ／Ａ回路１９に与えられる（ステップａ）。
【００３９】
その後、フォーカスを外した状態で測定用ストラテジに応じてレーザーダイオード１を駆動するべくレーザードライバ２にレーザー制御信号が供給されるようになる（ステップｂ）。この測定用ストラテジにおいて、レーザードライバ２にピークパワー制御信号を供給しないでイレーズパワー制御信号及びボトムパワー制御信号を供給する状態にするべくスイッチ回路５，６及び７が図５に示す如くエンコーダ／デコーダ４からの切換制御信号ＬＤＯＮ，ＰＥＯ及びＰＷＯにより切換制御され、レーザーダイオード１はレーザードライバ２に供給されるレーザー制御信号ＶＣに対応してボトムパワー値及びイレーズパワー値間で変化するパルス波形により駆動される状態となる。
【００４０】
また、測定用ストラテジにおいて、ＡＰＣ回路１６からのＡＰＣ出力がライト／イレーズパワー信号発生回路９に供給される状態にするべく切換制御回路２１によりスイッチ回路１５が切換制御されると共に、ライト／イレーズパワー信号発生回路９がＡＰＣ回路１６によるＡＰＣ動作によりイレーズパワー制御信号を発生する状態になる。
【００４１】
測定用ストラテジにおいて、レーザーダイオード１が駆動されると、ＡＰＣ回路１６によるＡＰＣ動作が安定する時間、例えば２０ｍ秒経過した時点からピークホールド回路２４により抽出されるピーク電圧及びボトムホールド回路２５により抽出されるボトム電圧がそれぞれＣＰＵ１３によって測定される。前記ピークホールド回路２４及びボトムホールド回路２５には増幅器２３を介したフロントモニターダイオード３からのモニタ出力が供給されるので、ピーク電圧及びボトム電圧を測定することによりＣＰＵ１３によってボトムパワー値及びイレーズパワー値間で変化するパルス波形の振幅が測定される。
【００４２】
このパルス波形の振幅が測定されると、ボトムパワー値は一定値で固定されているので、イレーズパワー値が判明する。そして、ピークパワー値Ｐｐ＝イレーズパワー値Ｐｅ／ε値であるので、この演算によりピークパワー値を算出する（ステップｃ）。
【００４３】
ピークパワー値が算出されたら、次に、この算出ピークパワー値ＰｐＣに対応した出力レベルのピークパワー制御信号を増幅器１０から発生させるべくアッテネータ２２に設定される減衰率を調整する。この減衰率を調整は図３のステップｄ以降の処理により行なわれる。
【００４４】
ピークパワー値ＰｐＣが算出されたら、フォーカスを外した状態で正規の記録ストラテジに応じてレーザーダイオード１を駆動するべくレーザードライバ２にレーザー制御信号を供給する。この正規の記録ストラテジにおいてスイッチ回路５，６及び７が図６に示す如くエンコーダ／デコーダ４からの切換制御信号ＬＤＯＮ，ＰＥＯ及びＰＷＯにより切換制御され、レーザーダイオード１はレーザードライバ２に供給されるレーザー制御信号ＶＣに対応してピークパワー値及びボトムパワー値間で振幅させたパルス状信号とイレーズパワー値とのマルチパルス波形により駆動される状態となる。この場合、測定用ストラテジの場合と同様に、切換制御回路２１によるスイッチ回路１５の切換制御により、ライト／イレーズパワー信号発生回路９はＡＰＣ回路１６によるＡＰＣ動作によりイレーズパワー制御信号を発生する状態になっている。
【００４５】
上記正規の記録ストラテジにおいて、レーザーダイオード１が駆動されると、ＡＰＣ回路１６によるＡＰＣ動作の安定時間後にピークホールド回路２４により抽出されるピーク電圧及びボトムホールド回路２５により抽出されるボトム電圧がそれぞれＣＰＵ１３によって測定され、ＣＰＵ１３によってマルチパルス波形の振幅が測定される（ステップｄ）。
【００４６】
このマルチパルス波形の振幅を測定して実測のピークパワー値ＰｐＭが判明したら、この実測のピークパワー値ＰｐＭとステップｃにより算出されたピークパワー値ＰｐＣとを比較する（ステップｅ）。
【００４７】
実測のピークパワー値ＰｐＭが算出ピークパワー値ＰｐＣに等しいか否かの判断（ステップｆ）により等しいと判断された場合、現時点でアッテネータ２２に設定されている減衰率ＡＴＴに対応する減衰率設定データをＣＰＵ１３内のＲＡＭ２６に保存しておき（ステップｇ）、この減衰率設定データによりアッテネータ２２の減衰率ＡＴＴを設定するようにする。
【００４８】
このように設定されるアッテネータ２２の減衰率ＡＴＴにより、増幅器１０からはイレーズパワー値及びε値に対応するピークパワー値のモニタ出力を発生させるピークパワー制御信号が発生されるようになる。
【００４９】
ところで、実測のピークパワー値ＰｐＭが算出ピークパワー値ＰｐＣに等しくないと判断された場合、次に実測のピークパワー値ＰｐＭが算出ピークパワー値ＰｐＣより大きいか否かを判断し（ステップｈ）、実測のピークパワー値ＰｐＭが算出ピークパワー値ＰｐＣより大きいと判断された場合、現時点でアッテネータ２２に設定されている減衰率ＡＴＴを１段増やす減衰率設定データをＣＰＵ１３により設定し、その後、ステップｄによる処理、すなわち、正規の記録ストラテジによるマルチパルス波形の振幅を測定し、ピークパワー値ＰｐＭを実測する処理に戻る。
【００５０】
一方、実測のピークパワー値ＰｐＭが算出ピークパワー値ＰｐＣより大きいか否かの判断（ステップｈ）により実測のピークパワー値ＰｐＭが算出ピークパワー値ＰｐＣより大きくない、すなわち小さいと判断された場合、現時点でアッテネータ２２に設定されている減衰率ＡＴＴを１段減らす減衰率設定データをＣＰＵ１３により設定し、その後、ステップｄによる処理に戻る。
【００５１】
このように実測のピークパワー値ＰｐＭが算出ピークパワー値ＰｐＣに等しくない場合、アッテネータ２２に設定されている減衰率ＡＴＴが１段ずつ増やされ、あるいは減らされ、実測のピークパワー値ＰｐＭが算出ピークパワー値ＰｐＣに等しくなるまで前記減衰率ＡＴＴが変化され、実測のピークパワー値ＰｐＭが算出ピークパワー値ＰｐＣに等しくなった時点でアッテネータ２２に設定されている減衰率ＡＴＴに対応する減衰率設定データがＣＰＵ１３内のＲＡＭ２６に保存され（ステップｇ）、この減衰率設定データによりアッテネータ２２の減衰率ＡＴＴが設定されるようにする。
【００５２】
したがって、増幅器１０からイレーズパワー値及びε値に対応するピークパワー値のモニタ出力を発生させるピークパワー制御信号が発生されるようになり、換言すると、所定のイレーズパワー値において決定されたε値に保持するべくピークパワー値を補正するべくアッテネータ２２の減衰率ＡＴＴが調整されることになる。
【００５３】
尚、実施例においては、アッテネータ２２の減衰率ＡＴＴを調整して増幅器１０のゲイン自体を可変にしてピークパワー制御信号をレベル調整しているが、増幅器１０に入力するイレーズパワー制御信号をレベル調整してピークパワー制御信号をレベル調整しても良い。
【００５４】
【発明の効果】
以上のとおり、本発明は、レーザードライバにピークパワー制御信号を供給しないでイレーズパワー制御信号及びボトムパワー制御信号を供給する状態にして光学ヘッドのレーザー光源から出射されるレーザービームをモニタしたモニタ出力の振幅を測定するようにしているので、ピークパワー値の影響を受けずにイレーズパワー値を精度良く検出することができ、イレーズパワー値が検出されれば、決定されているε値を用いてピークパワー値が算出でき、所定のイレーズパワー値において決定されたε値に保持するべくピークパワー値に対応するピークパワー制御信号をピークパワー信号発生回路から発生させることができる。
【００５５】
また、イレーズパワー値とε値から算出されるピークパワー値に基づいてピークパワー信号発生回路から発生されるピークパワー制御信号をレベル調整するようにしているので、所定のイレーズパワー値及びε値に対応してピークパワー値が補正され、適切なε値を保持してディスク記録が行える。
【図面の簡単な説明】
【図１】本発明に係る光ディスク記録装置の一実施例を示す回路ブロック図である。
【図２】オーバーライト方式によりディスク記録する場合における光学ヘッドのレーザー光源を駆動するマルチパルス波形のレーザー駆動信号を示す波形図である。
【図３】ライトワンス方式によりディスク記録する場合における光学ヘッドのレーザー光源を駆動するパルス波形のレーザー駆動信号を示す波形図である。
【図４】オーバーライト方式によるディスク記録を行う場合におけるピークパワー値のレベル調整方法を説明するフローチャートである。
【図５】測定用ストラテジにおける図１の所定の各信号発生回路から出力される各レーザー制御信号を示す波形図である。
【図６】正規の記録ストラテジにおける図１の所定の各信号発生回路から出力される各レーザー制御信号を示す波形図である。
【符号の説明】
１          レーザーダイオード
２          レーザードライバ
３          フロントモニターダイオード
４          エンコーダ／デコーダ
５，６，７，１５          スイッチ回路
８          リード／ボトムパワー信号発生回路
９          ライト／イレーズパワー信号発生回路（信号発生回路）
１０          増幅器
１３          ＣＰＵ
１６          ＡＰＣ回路
２２          アッテネータ
２４          ピークホールド回路
２５          ボトムホールド回路
【図１】
2004326841.tif 000003
【図２】
2004326841.tif 000004
【図３】
2004326841.tif 000005
【図４】
2004326841.tif 000006
【図５】
2004326841.tif 000007
【図６】
2004326841.tif 000008